(57)【要約】【課題】  複数台の情報記録装置の評価を１台のコンピュータで行うことができる情報記録装置の評価システムを提供する。【解決手段】  内部情報・動作履歴・エラー情報を含むデータを内部メモリに保持した複数台の情報記録装置１を評価する評価システムであって、情報記録装置１と接続されたホストコンピュータ２と、ホストコンピュータ２と接続された１台のデータ収集用コンピュータ３とを備え、複数台の情報記録装置１の内部情報・動作履歴・エラー情報を含むデータをホストコンピュータ２を介してデータ収集用コンピュータ３に転送してリアルタイムに表示する。【選択図】        図１
2005063072.tif 000002
【特許請求の範囲】
【請求項１】
内部情報・動作履歴・エラー情報を含むデータを内部メモリに保持した複数台の情報記録装置を評価する評価システムであって、前記情報記録装置と接続されたホストコンピュータと、該ホストコンピュータと接続された１台のデータ収集用コンピュータとを備え、前記複数台の情報記録装置の内部情報・動作履歴・エラー情報を含むデータを前記ホストコンピュータを介してデータ収集用コンピュータに転送してリアルタイムに表示することを特徴とする情報記録装置の評価システム。
【請求項２】
前記データ収集用コンピュータにおいて、一般のウェブブラウザにてデータの表示が可能であることを特徴とする請求項１記載の情報記録装置の評価システム。
【請求項３】
前記データ収集用コンピュータにおいて、データの保存が可能であることを特徴とする請求項１記載の情報記録装置の評価システム。
【請求項４】
前記データ収集用コンピュータから情報記録装置に内部操作命令を送ることが可能であることを特徴とする請求項１記載の情報記録装置の評価システム。
【請求項５】
前記データ収集用コンピュータから複数台の情報記録装置に内部操作命令を同時に送ることが可能であることを特徴とする請求項４記載の情報記録装置の評価システム。
【請求項６】
前記データ収集用コンピュータから情報記録装置に内部操作命令を一般的なウェブブラウザにて送信することが可能であることを特徴とする請求項４記載の情報記録装置の評価システム。
【請求項７】
前記データ収集用コンピュータにおいて、内部操作命令と内部情報・動作履歴・エラー情報を含むデータを同一画面に表示することが可能であることを特徴とする請求項１または４記載の情報記録装置の評価システム。
【請求項８】
前記データ収集用コンピュータにおいて、内部操作命令と内部情報・動作履歴・エラー情報を含むデータを同一のウェブブラウザに表示することが可能であることを特徴とする請求項２または６記載の情報記録装置の評価システム。
【発明の詳細な説明】
【技術分野】
【０００１】
本発明は、内部情報・動作履歴・エラー情報を含むデータを内部メモリに保持した情報記録装置を評価する情報記録装置の評価システムに関する。
【背景技術】
【０００２】
従来、情報記録装置（例えば光ディスク装置）では、開発・設計・製造等の主に非ユーザー環境において、装置の動作状況を把握するために、内部情報・動作履歴・エラー情報等のデータを装置内部の専用の不揮発性メモリに記録し、また、情報記録データ転送用のインタフェース、または、そのインタフェースとは別に比較的低速なデータ送信用のシリアル・パラレルインタフェースを用いて、内部情報・動作履歴・エラー情報などのデータや、装置の内部操作命令を評価装置に転送し、表示・記録ができるものがあった。
例えば、特許文献１には、内部エラー情報や動作履歴などを記録媒体に記録する例が挙げられているが、ＣＤ−ＲＯＭ、ＤＶＤ−ＲＯＭなどの読み出し専用の媒体については記録をすることができない。また、記録媒体に書き込むため、装置の開発設計段階において正常に記録媒体に書き込むことができない装置には適用できない。
また、特許文献２には、通常の印刷データ転送に用いられるパラレルインタフェースを介して、エラー情報などのデータをホストコンピュータに送信する例が挙げられているが、ホスト側の準備等の都合は考慮されておらず１台の装置の少ないデータを見る際には良いが、複数台の装置のデータを効率よく収集することができない。
【特許文献１】特開平７−９３１１１号公報
【特許文献２】特開平１１−１７５２７７号公報
【発明の開示】
【発明が解決しようとする課題】
【０００３】
いずれにしても、従来の技術では、複数台の情報記録装置の検査、デバック作業などにおいて、情報記録装置の内部情報・動作履歴・エラー情報等のデータが個々の装置毎に分散してしまい、データの収集に手間がかかっていた。また、装置のデバック操作を行う際も、その装置を備えたそれぞれのコンピュータに対して操作を行う必要があった。また、作業中に何らかの原因でその装置が直接接続されたコンピュータが停止した場合に、内部情報・動作履歴・エラー情報などが記録できないという問題があった。また、複数台の情報記録装置の様子を一度に監視するということが難しかった。
本発明は、上記に鑑みてなされたものであって、複数台の情報記録装置の評価を１台のコンピュータで行うことができる情報記録装置の評価システムを提供することを目的とする。
【課題を解決するための手段】
【０００４】
上述した課題を解決し、目的を達成するために、請求項１にかかる発明は、内部情報・動作履歴・エラー情報を含むデータを内部メモリに保持した複数台の情報記録装置を評価する評価システムであって、情報記録装置と接続されたホストコンピュータと、ホストコンピュータと接続された１台のデータ収集用コンピュータとを備え、複数台の情報記録装置の内部情報・動作履歴・エラー情報を含むデータをホストコンピュータを介してデータ収集用コンピュータに転送してリアルタイムに表示する情報記録装置の評価システムを最も主要な特徴とする。
また、請求項２にかかる発明は、請求項１にかかる発明において、データ収集用コンピュータにおいて、一般のウェブブラウザにてデータの表示が可能である情報記録装置の評価システムを主要な特徴とする。
また、請求項３にかかる発明は、請求項１にかかる発明において、データ収集用コンピュータにおいて、データの保存が可能である情報記録装置の評価システムを主要な特徴とする。
【０００５】
また、請求項４にかかる発明は、請求項１にかかる発明において、データ収集用コンピュータから情報記録装置に内部操作命令を送ることが可能である情報記録装置の評価システムを主要な特徴とする。
また、請求項５にかかる発明は、請求項４にかかる発明において、データ収集用コンピュータから複数台の情報記録装置に内部操作命令を同時に送ることが可能である情報記録装置の評価システムを主要な特徴とする。
また、請求項６にかかる発明は、請求項４にかかる発明において、データ収集用コンピュータから情報記録装置に内部操作命令を一般的なウェブブラウザにて送信することが可能である情報記録装置の評価システムを主要な特徴とする。
また、請求項７にかかる発明は、請求項１または４にかかる発明において、データ収集用コンピュータにおいて、内部操作命令と内部情報・動作履歴・エラー情報ヲ含むデータを同一画面に表示することが可能である情報記録装置の評価システムを主要な特徴とする。
また、請求項８にかかる発明は、請求項２または６にかかる発明において、データ収集用コンピュータにおいて、内部操作命令と内部情報・動作履歴・エラー情報を含むデータを同一のウェブブラウザに表示することが可能である情報記録装置の評価システムを主要な特徴とする。
【発明の効果】
【０００６】
請求項１記載の発明によれば、ＬＡＮなどのネットワークを介して、情報記録装置のそばに行かずに、手元のコンピュータ（データ収集用コンピュータ）で複数台の情報記録装置の内部情報・動作履歴・エラー情報等のデータをリアルタイムに観察することが可能となり、少ない人数で、あるいは離れた所からでも効率的に開発が進められる。
請求項２記載の発明によれば、インターネットの普及により現在のほとんどのＰＣに標準で組み込まれているウェブブラウザを利用することで、データ観察用の特別なアプリケーションを作成し、コンピュータに入れることなく請求項１の効果を得ることができる。
請求項３記載の発明によれば、情報記録装置の内部情報・動作履歴・エラー情報等のデータが手元のコンピュータに集められるので、各コンピュータからデータを収集する必要がなくなり、データの収集を効率よく行うことが可能となる。また、データの圧縮を行えば記憶領域の節約が可能となる。
請求項４記載の発明によれば、ＬＡＮなどのネットワークを介して、情報記録装置のそばに行かずに、手元のコンピュータから情報記録装置へ内部操作命令を送信し操作することが可能となり、離れた場所にいても、同時に多数の情報記録装置の動作制御ができ、デバック作業や評価を効果的に行うことができる。
請求項５記載の発明によれば、請求項４の効果に加えて、手元のコンピュータから複数台の情報記録装置へ同時に内部操作命令を送信し操作することが可能となる効果がある。離れた場所にいても、同時に多数の情報記録装置の動作制御ができ、デバック作業や評価を効果的に行うことができる。
【０００７】
請求項６記載の発明によれば、インターネットの普及により現在のほとんどのＰＣに標準で組み込まれているウェブブラウザを利用することで、内部操作命令発行の特別なアプリケーションを作成し、コンピュータに入れることなく、請求項４の効果を得ることができる。
請求項７記載の発明によれば、ＬＡＮなどのネットワークを介して、情報記録装置のそばに行かずに、情報記録装置の対話的な操作が可能となり、操作に対しての反応を確認しながらデバック作業、評価などを手元のコンピュータで行うことが可能となる。
請求項８記載の発明によれば、現在のほとんどのＰＣに標準で組み込まれているウェブブラウザを利用することで、データ観察、内部操作命令発行用の特別なアプリケーションを作成し、コンピュータに入れることなく、請求項７の効果を得ることができる。
本発明では、内部情報・動作履歴・エラー情報等のデータを、その情報記録装置が直接接続されたコンピュータだけでなく、ＬＡＮなどの通信手段を介して、データ収集用コンピュータに送信し記録する評価システム、また、ＬＡＮなどの通信手段を介して、装置固有の内部操作命令を送信することができる評価システムが得られる。このようにすると、装置を検査、デバックする際に、内部情報・動作履歴・エラー情報等のデータを１台のデータ収集用コンピュータに送信・記録すれば、一度に複数台の情報記録装置のデータを収集・管理することが可能となり、また、常に装置のそばにいて監視する必要がなくなる。また、データ収集用コンピュータにデータを記録しているため、評価システムが停止した際も、データが消えることはなく、エラー時のデータも記録可能である。また、ＬＡＮなどの通信手段を介して、情報記録装置に内部操作命令を送るため、１台のコンピュータ（データ収集用コンピュータ）から複数台の情報記録装置の制御が可能となる。
【発明を実施するための最良の形態】
【０００８】
以下に添付図面を参照して、この発明にかかる情報記録装置の評価システムの最良な実施の形態を詳細に説明する。
図１は本発明の実施の形態に係る情報記録装置の評価システムのブロック構成図である。本評価システムは、情報記録装置１、ホストコンピュータ２、データ収集用コンピュータ３とから構成される。
情報記録装置１は、光ディスク１１を任意の回転速度で回転させるモータ１２と、そのモータ１２の制御を行う回転制御回路１３を備え、さらに、光ディスク１１に光レーザーを照射するピックアップ１４と、ピックアップ１４の光レーザーを駆動するレーザー駆動回路１５と、ピックアップ１４を半径方向に移動させる制御を行うアクチュエータ制御部１６と、ピックアップ１４からの信号を制御する信号制御部１７と、このドライブ装置全体の制御を司るドライブコントローラ１９と、バッファメモリ１８とを備えている。
光ディスク１１から読み出されたデータは、一時的にバッファメモリ１８に蓄えられ、ホストコンピュータ２に転送される。また、光ディスク１１に記録するときは、ホストコンピュータ２から送られるデータを一時的にバッファメモリ１８に蓄え、光ディスク１１に記録する。また、バッファメモリ１８には、情報記録装置１の内部情報・動作履歴・エラー情報等のデータが一時的に保管される。
情報記録装置１とホストコンピュータ２は、ＡＴＡ／ＡＴＡＰＩ、ＩＥＥＥ１３９４などの外部インタフェース４で繋がれる。また、ホストコンピュータ２とデータ収集用コンピュータ３は、ネットワークコントローラ５を介してＬＡＮなどのネットワーク６で接続される。
図２は、本発明の実施の形態に係る情報記録装置の評価システムの概念図である。本評価システムは、１台のデータ収集用コンピュータ３に複数台のホストコンピュータ２が接続され、さらに各ホストコンピュータ２にそれぞれ複数台の情報記録装置１が接続されている。
【０００９】
図３は、ホストコンピュータ２が情報記録装置１から内部情報・動作履歴・エラー情報等のデータを受信する動作のフローチャートである。ホストコンピュータ２は情報記録装置１にデータ転送のリクエスト命令を発行し（３０１）、情報記録装置１のバッファメモリ１８内のデータを受信する（３０２）。受信データがあればそのデータをホストコンピュータ２のバッファに保存し（３０３、３０４）、次のデータリクエスト命令を発行するまで一定時間待機する（３０５）。受信データがなければ、次のデータリクエスト命令を発行するまで一定時間待機する（３０５）。
図４は、データ収集用コンピュータ３がホストコンピュータ２のバッファ内のデータを受信する動作のフローチャートである。まず、データ収集用コンピュータ３はホストコンピュータ２とのＴＣＰ／ＩＰなどの通信プロトコルによるネットワーク接続を確認する（４０１）。もし、ネットワーク６に接続されたホストコンピュータ２が見つからなかった場合は終了する（４０２）。
ネットワーク接続が見つかった場合、ホストコンピュータ２に対してデータリクエスト命令を発行し（４０３）、ホストコンピュータ２のバッファ内のデータをネットワーク６を介して受信する（４０４）。データがない場合は次のリクエストを発行するまで一定時間待機する（４０７）。データがある場合、受信したデータを画面に表示し（４０６）、次のデータリクエスト命令を発行するまで一定時間待機する。もし待機中にネットワーク切断命令が発行された場合（４０８）、ネットワーク６を切断し（４０９）、終了する。
図３と図４のフローに示す処理を組み合わせ、ホストコンピュータ２が情報記録装置１の内部情報・動作履歴・エラー情報等のデータを受信し、データ収集用コンピュータ３がホストコンピュータ２からそのデータを受信することによって、１台のコンピュータ（データ収集用コンピュータ３）でＬＡＮなどの通信手段を介して複数台の情報記録装置１のデータをリアルタイムに表示可能となる。これによって請求項１記載の発明の機能を実現する。
通信プロトコルによく用いられるＴＣＰ／ＩＰとＨＴＴＰを採用し、図３のバッファをウェブサーバとして作成し、図４の表示のための画面をウェブブラウザを用いることで、請求項２記載の発明の機能を実現する。
【００１０】
図５は、データ収集用コンピュータ３がホストコンピュータ２のバッファ内のデータを（圧縮）保存する動作のフローチャートである。まず、データ収集用コンピュータ３はホストコンピュータ２とのＴＣＰ／ＩＰなどの通信プロトコルによるネットワーク接続を確認する（５０１）。もし、ネットワーク６に接続されたホストコンピュータ２が見つからなかった場合は終了する（５０２）。
ネットワーク接続が見つかった場合、ホストコンピュータ２に対してデータリクエスト命令を発行し（５０３）、ホストコンピュータ２のバッファ内のデータをネットワーク６を介して受信する（５０４）。データがない場合は次のリクエストを発行するまで一定時間待機する（５０９）。
データがあり、データを圧縮する場合、受信したデータを圧縮し（５０７）、保存する（５０８）。圧縮しない場合はそのままデータを保存する（５０８）。そして、次のデータリクエスト命令を発行するまで一定時間待機する。もし待機中にネットワーク切断命令が発行された場合（５１０）、ネットワークを切断し（５１１）、終了する。
図３と図５に示すフローの処理を組み合わせ、ホストコンピュータ２が情報記録装置１の内部情報・動作履歴・エラー情報等のデータを受信し、データ収集用コンピュータ３がホストコンピュータ２からそのデータを受信し、（圧縮）保存することによって、１台のコンピュータでＬＡＮなどの通信手段を介して複数台の情報記録装置２のデータを（圧縮）保存することが可能となる。これによって請求項３記載の発明の機能を実現する。
図６は、ホストコンピュータ２から情報記録装置１に内部操作命令を送る動作のフローチャートである。まず、命令の入力を受けると、情報記録装置１の内部操作命令が実行中であるか調べ（６０１）、実行中であれば（６０２）ホストコンピュータ２に実行中である応答を返し（６０３）、命令入力待機に戻る。実行中でなければ命令を情報記録装置２に送信し（６０４）、命令の実行が終了するまで待機する（６０５）。内部操作命令の実行が終了したら（６０６）命令入力待機に戻る。
【００１１】
図７は、データ収集用コンピュータがホストコンピュータに情報記録装置の内部操作命令を送信する動作のフローチャートである。まず、データ収集用コンピュータ３は、ホストコンピュータ２とのＴＣＰ／ＩＰなどの通信プロトコルによるネットワーク接続を確認する（７０１）。もし、ネットワーク６に接続されたホストコンピュータ２が見つからなかった場合は終了する（７０２）。
ネットワーク接続が見つかった場合、命令入力待機状態（７０３）となり、命令が入力されると、ホストコンピュータ２が命令実行中であるか調べ（７０４）、実行中であればホストコンピュータ２から命令実行中の応答を受信し（７０５）、命令入力待機に戻る。
命令が実行中でなく、もしその命令がネットワーク切断命令であった場合（７０６）、ネットワーク６を切断し（７１０）、終了する。ネットワーク切断命令でない場合、命令をホストコンピュータ２に送信し（７０７）、ホストコンピュータ２から命令終了の返信が来るまで待機し（７０８）、命令が終了したら再び命令入力待機待機状態に戻る（７０９）。
図６と図７のフローに示す処理を組み合わせ、データ収集コンピュータ３からホストコンピュータ２に情報記録装置１の内部操作命令を送信し、受信した命令をホストコンピュータ２が情報記録装置１に送信することによって、１台のコンピュータでＬＡＮなどの通信手段を介して複数台の情報記録装置１に内部操作命令を送信することが可能となる。これによって請求項４記載の発明の機能を実現する。
また、命令を送信する際にネットワーク６で繋がれた複数台のホストコンピュータ２に同時に命令を送信することによって、１台のコンピュータでＬＡＮなどの通信手段を介して複数台の情報記録装置１に同時に内部操作命令を送信することが可能となる。これによって請求項５記載の発明の機能を実現する。
通信プロトコルによく用いられるＴＣＰ／ＩＰとＨＴＴＰを採用し、ウェブブラウザに入力した命令をデータ収集用コンピュータ３に送信することによって請求項６記載の発明の機能を実現する。
【００１２】
図８は、図５と図７を組み合わせ、データ収集用コンピュータ３がホストコンピュータ２のバッファ内のデータを受信、および、情報記録装置１の内部操作命令を送信する動作のフローチャートである。まず、データ収集用コンピュータ３は、ホストコンピュータ２とのＴＣＰ／ＩＰなどの通信プロトコルによるネットワーク接続を確認する（８０１）。もし、ネットワーク６に接続されたホストコンピュータ２が見つからなかった場合は終了する（８０２）。
ネットワーク接続が見つかった場合、命令待機状態（８０３）となり、命令がないまま一定時間経過したとき（８０４）、ホストコンピュータ２に対してデータリクエスト命令を発行し（８０５）、ホストコンピュータ２のバッファ内のデータをネットワーク６を介して受信する（８０６）。ここでデータがない場合は命令待機状態に戻る（８０７）。データがある場合、受信したデータを画面に表示し（８０８）、命令待機状態に戻る。
命令が入力された場合、ホストコンピュータ２が命令実行中であるか調べ（８０９）、実行中であればホストコンピュータ２から命令実行中の応答を受信し（８１０）、命令待機状態に戻る。命令が実行中でなく、もしその命令がネットワーク切断命令であった場合（８１１）、ネットワーク６を切断し（８１５）、終了する。
ネットワーク切断命令でない場合、命令をホストコンピュータ２に送信し（８１２）、ホストコンピュータ２から命令終了の返信が来るまで待機し（８１３）、命令が終了（８１４）したら再び命令待機状態に戻る。これにより、請求項７記載の発明の機能を実現する。
【００１３】
図９は、表示入力画面のイメージを示す図である。この図の例では、画面上部でターゲットホストとターゲットドライブを選択し、画面中央に選択した情報記録装置１から受信したデータが表示される。画面上の「％」がプロンプト（指示メッセージ）であり、入力待ちを意味し、この後に命令を入力し情報記録装置１に内部操作命令を送信する。
この入力と出力を同一画面上で行い、情報記録装置１の対話的な操作を行う。また、通信プロトコルによく用いられるＴＣＰ／ＩＰとＨＴＴＰを採用し、データの送受信をウェブブラウザで行うことにより請求項８記載の発明の機能を実現する。
図１０はウェブブラウザによる表示入力画面のイメージを示す図である。この図の例では、入力と出力の表示部を分けているが、図９と同様に同一画面で情報記録装置１に命令を送信し、データを受信して対話的な操作を行う。
【産業上の利用可能性】
【００１４】
以上のように、本発明にかかる情報記録装置の評価システムは、複数台の情報記録装置の評価システムとして有用である。
【図面の簡単な説明】
【００１５】
【図１】本発明の実施の形態に係る情報記録装置の評価システムのブロック構成図。
【図２】本発明の実施の形態に係る情報記録装置の評価システムの概念図。
【図３】ホストコンピュータが情報記録装置から内部情報・動作履歴・エラー情報等のデータを受信する動作のフローチャート。
【図４】データ収集用コンピュータがホストコンピュータのバッファ内のデータを受信する動作のフローチャート。
【図５】データ収集用コンピュータがホストコンピュータのバッファ内のデータを（圧縮）保存する動作のフローチャート。
【図６】ホストコンピュータから情報記録装置に内部操作命令を送る動作のフローチャート。
【図７】データ収集用コンピュータがホストコンピュータに情報記録装置の内部操作命令を送信する動作のフローチャート。
【図８】データ収集用コンピュータがホストコンピュータのバッファ内のデータを受信、および、情報記録装置の内部操作命令を送信する動作のフローチャート。
【図９】表示入力画面のイメージを示す図。
【図１０】ウェブブラウザによる表示入力画面のイメージを示す図。
【符号の説明】
【００１６】
１  情報記録装置
２  ホストコンピュータ
３  データ収集用コンピュータ
４  外部インターフェイス
５  ネットワークコントローラ
６  ネットワーク
【図１】
2005063072.tif 000003
【図２】
2005063072.tif 000004
【図３】
2005063072.tif 000005
【図４】
2005063072.tif 000006
【図５】
2005063072.tif 000007
【図６】
2005063072.tif 000008
【図７】
2005063072.tif 000009
【図８】
2005063072.tif 000010
【図９】
2005063072.tif 000011
【図１０】
2005063072.tif 000012